(57)【要約】【課題】  高齢者や指先の力が弱い者が、複数の直径が異なる容器のねじ蓋を容易に開栓できる携帯用の多機能単一型のねじ蓋開栓具を提供すること。【解決手段】  クッレジットカードのような板状体の基板１に滴（しずく）型状の貫通した開口部２を設け、前記開口部の内側壁面には、ねじ蓋が接触する壁面の一方側にのみ強い摩擦構造面２ａが設けられていることを特徴とするねじ蓋開栓具であって、さらに前記開口部を勾玉状に屈曲することにより、限られた面積の基板の中で、より多くのサイズの異なるねじ蓋の開栓に適用できるようにしたものである。【選択図】図２
0003224419.tif 000002
【実用新案登録請求の範囲】
【請求項１】
板状体基板に滴型状の貫通した開口部を設け、前記開口部の内側壁面には、ねじ蓋が接触する壁面の一方側にのみ強い摩擦構造面部が設けられていることを特徴とするねじ蓋開栓具。
【請求項２】
前記滴型状の開口部は、勾玉状に屈曲していることを特徴とする請求項１に記載されたねじ蓋開栓具。
【考案の詳細な説明】
【技術分野】
【０００１】  この考案は、飲料容器などのねじ蓋付き容器の蓋の開栓を容易にするためのねじ蓋開栓具に関するものである。
【背景技術】
【０００２】  通常、外出先などでねじ蓋付き飲料容器を開栓する場合は手と指先で開栓することが一般的である。しかしながら、容器によっては容器のねじ蓋が強固に閉まっており、例えば高齢者や指先の力が弱い者では手で開栓することが困難な場合が多い。そのためねじ蓋付き容器の開栓具としてすでに多くのキャップ・オープナーが市販されている。【０００３】  携帯可能なものも各種市販されてはいるが、適用する容器の蓋の大きさが固定されたものが多く、複数の容器のねじ蓋に適用できるものとしては、例えば、特許文献１に記載されているような多段式の携帯用具が出願されている。【０００４】  しかしながら、前記特許文献１に記載されたものは、多段式に複数の限定された蓋の大きさ（直径）に適用されるもので、適用する蓋の数が増えるにつれて厚さが厚くなっており、服のポケットやセカンドバックなどに入れて携行することはできても、財布のカード入れや名刺入れなどに収納するのはむつかしい。
そこで、自動販売機の普及や高齢者社会が進む中で、嵩張らずに使用方法が簡単で携行が容易で、しかも複数の直径の異なるねじ蓋を一つの用具で容易に開栓できる多機能単一型の開栓具の実現が期待されていた。
【先行技術文献】
【特許文献】
【０００５】
【特許文献１】特開２０１１−５７２４０号公報
【考案が解決しようとする課題】
【０００６】  この考案は、前述したように使用方法が簡単で携行が容易で、高齢者や指先の力が弱い者が、複数の直径の異なる容器のねじ蓋を一つの用具で容易に開栓できる多機能単一型のねじ蓋開栓具の提供を目的とするものである。
【課題を解決するため手段】
【０００７】  この考案は、クッレジットカード型の板状体基板に、滴（しずく）型状の貫通した開口部を設け、前記開口部の内側壁面には、ねじ蓋が接触する壁面の一方側にのみ強い摩擦構造面部が設けられていることを特徴とするねじ蓋開栓具であって、さらに前記開口部を勾玉状に屈曲することにより、限られた面積の板状体基板の中で、より多くのサイズの異なるねじ蓋の開栓に適用できるようにしたものである。そして、前記開口の内側壁に設けられた強い摩擦構造面部は、開口部の内壁が、ねじ蓋のサイズに応じて無段階にねじ蓋の外周に接触係合してこれを強く挟み込み、大きな回転トルクを与えてねじ蓋の開栓が容易にできる点を主要な構成の特徴とするものである。
【０００８】  この考案の板状体基板は基本的には、クレジットカード型の形状と寸法を基準としており、きるだけ軽くて強度の高い材質が好ましい。財布や定期入れなどのカード収納部に収納するため、金属などのかたい素材の場合は、外周の縁部に軽い面取りを施し、あるいは薄い保護部材を設けた状態で使用することが好ましい。なお、板状体の大きさ形状又は開口の大きさは、クレジットカード型に限定されず、必要により使用環境に応じて自由に選択し得る設計事項である。
【０００９】  さらに、限られた板状体基板の面積の中で、多数の外形寸法のねじ蓋に適用しようとすれば、滴（しずく）型状の開口部が長くなるので、規定の板状体基板の面積を有効に利用するためには、滴型状の開口部を屈曲させて勾玉状の貫通した開口部（図２参照）にすることにより解決することができる。この場合は、板状体基板に形成した湾曲線面は内壁の大きな湾曲面と小さな湾曲線面とに接触するねじ蓋の外周面の位置をつないだ直線が常にねじ蓋の中心よりも先行する位置、つまり勾玉状の開口部の小さい方向にあるように湾曲した形状に形成することにより、ねじ蓋の喰い込みがさらにスムーズに的確に行われる。
【００１０】  この考案の滴型状の開口部も勾玉状の開口部も、ねじ蓋の外周面が接触する一方側の内壁面にのみ強い係止力を有する摩擦構造部、例えば小さな鋸刃状の凹凸が形成されているが、その他の外周接触面は全て摩擦構造部のない平滑面部から構成される。摩擦構造面部と平滑面部との位置を逆転させてもねじ蓋をねじ蓋のサイズに応じて無段階にこれを挟み込み回転させる効果は変わらないが、摩擦構造面部の位置の逆転により、ねじ蓋を回転させる方向も逆転する。
【考案の効果】
【００１１】  この考案は、板状体基板の滴（しずく）型状の貫通した開口部の内壁面に設けた摩擦構面部が最初に接触したねじ蓋の一方の接触面を引き込み、ねじ蓋を僅かに回転させることにより、ねじ蓋の外周面がしっかりと開口部の壁面に喰い込むようになっている（以下この作用を「自動喰い込み作用」と言う）。したがって、板状体基板の外縁部又はこれと近い場所を手の指で握って回動させれば、ねじ蓋の直径の中心と板状体基板の手の指で握った位置との距離の差による梃子の原理に基づく大きな回転モーメントを生じる。さらに滴型状の開口を屈曲させて勾玉状の開口にすることにより、自動喰い込作用の効果もさらに向上し、限られた面積の板状体基板の中で、より多くのサイズの異なるねじ蓋の開栓に適用することができる。
【００１２】  そして、この考案のねじ蓋開栓具は、クレジットカード型の形状と大きさに作ることにより、財布や名刺入れなどの小物入れに入れて手軽に携行できるねじ蓋開栓具であると共に、滴型状の開口又は勾玉状の開口を有するわずか１枚の板状体基板であるにも拘わらず、自販機のペットボトルから健康食品や化粧品など、種類や大きさの異なる多種多様な容器のねじ蓋に至るまで適用できる優れた多機能単一型の効果を奏するものである。
【図面の簡単な説明】
【０００１３】
【図１】この考案の第１の実施例のねじ蓋開栓具の平面図である。
【図２】この考案の第２の実施例のねじ蓋開栓具の平面図である。
【図３】この考案の第２の実施例のねじ蓋開栓具の使用例１を示す説明図である。
【図４】この考案の第２の実施例のねじ蓋開栓具の使用例２を示す説明図である。
【考案を実施するための形態】
【００１４】  以下、この考案の実施例に基づき説明するが、以下の説明において同一の機能を有する部材や部位、構成については同一の符号を付け、或いは説明を省略する場合がある。
【００１５】  図１は、この考案の第１の実施例を示すねじ蓋開栓具の平面図で、この発明の基本的構  想を表示したものである。Ａは、この考案のねじ蓋開栓具の全体を示している。
この考案のねじ蓋開栓具は、クレジットカード型の板状体基板１枚のみで構成されている。実施例ではステンレス鋼の基板を使用したが、実用化には、一般的に使用されている名刺入れや財布などのカード入れに入れて携行することが多いので、使用する素材はできるだけ軽くて強度の高い素材が好ましく、しかも軽金属や合成樹脂などで使用強度に耐え得る物で、表面には彫刻や印刷を施して使用できる素材が好ましい。
【００１６】  基板１には、ねじ蓋挿入用の貫通した開口部２が設けられている。この開口部２は、滴（しずく）型状の開口を構成しており、この開口部２の内壁面には、ねじ蓋の外周が接触する内壁面の一方にのみ設けられた強い摩擦構造面部２ａと摩擦構造面のない他の平滑面部２ｂが設けられている。この実施例によれば、摩擦構造面部２ａは図面上では開口部の上側の壁面に、他の壁面は全て平滑面部となっている。この摩擦構造面は、例えば小さな鋸刃状又は凹凸などの摩擦構造面であって、通常の容器のねじ蓋表面に設けられている滑り止め用の筋目模様と係合接触する滑り止め機能を有する形状や大きさを有する構造面であればよい。
【００１７】  なお、板状体基板１の大きさ形状は、原則的には国際規格に沿ったクレジッドカードの形状、大きさで作成されるが、国際規格に拘束されることなく使用環境や使用者の必要に応じて自由に設計することも可能である。また、携行や操作時の安全性と良好な蝕感を与えるため、適当に基板の角を丸め、面取りを施し、或いは保護カバーを設けるなどの付加的設計加工を行うことが好ましい。３は基板の外縁部、４はストラップ用の取り付け孔である。
【００１８】  図２は、この考案の第２の実施例のねじ蓋開栓用具の平面図である。
この実施例は、第１の実施例のねじ蓋開栓具のさらなる改良に相当するもので、図のように実施例１の滴型状の開口部２を屈曲させて勾玉状の開口部に変形させたもので、開口の内壁面の大きな湾曲面部（図では上方壁面部）には鋸刃状の摩擦構造面部が設けられており、小さな湾曲面を含む他の壁面を平滑面部としたものが示されている。
【００１９】  そして、この実施例の場合は、開口部の大きな湾曲面に設けられた摩擦構造面部に内壁の大きな湾曲面と小さな湾曲線面の平滑壁面部とに接触するねじ蓋の外周面の接点位置をつないだ直線が常にねじ蓋の中心よりも先行する位置、つまり勾玉状の開口部の小さい方向に位置するように湾曲した形状に形成することにより、ねじ蓋の自動喰い込み作用が実施例１よりも的確に行われる優れた効果を奏するものである。
他の部材や部位、構成については実施例１と同様であるから、説明は省略する。
【００２０】  以下、図３により、この考案のねじ蓋開栓具を用いた開栓方法を説明する。図３にはこの考案の第２の実施例である勾玉状の開口部を有するクレジットカード型のねじ蓋開栓具を用いてペットボトルのねじ蓋を開栓する使用例１が示されている。
使用例１では、ペットボトルのねじ蓋Ｐを、先ず、カード型のねじ蓋開栓具Ａの基板の外縁部３を一方の手Ｆの指で挟み、ねじ蓋開栓具の開口部２をねじ蓋Ｐの上方から開口の内壁が、蓋の外周の二点に接するようにはめ込み、容器Ｂを他方の手Ｈで押さえ、図に示す開栓方向Ｌにカードを回すことにより、ねじ蓋の外周面は開口の小さいほうへ移動する力が働き、自動喰い込み作用が生じてカードとねじ蓋の外周はさらに強固に抑え込まれ滑りが防止されると共に、ねじ蓋Ｐにはその中心よりも離れたカードの外周縁の指の接点が梃子の力点となり大きな回転モーメントを生ずる。したがって、蓋は小さな力で簡単に回って開栓することができる。
【００２１】  図４は、さらに小さな外形のねじ蓋を有する容器のねじ蓋を開栓する使用例２が示されている。使用方法は前記使用例１と同様であるが、開口部の奥まで無段差で自動食い込み作用が行われ外形が小さくて指先の力だけでは開けにくい容器のねじ蓋でも容易に開栓することができることを示している。
【符号の説明】
【００２２】Ａ・・・・ねじ蓋開栓具
１・・・・板状体基板
２・・・・貫通した開口部
２ａ・・・摩擦構造面部
２ｂ・・・平滑面部
【図１】
0003224419.tif 000003
【図２】
0003224419.tif 000004
【図３】
0003224419.tif 000005
【図４】
0003224419.tif 000006